(57)【要約】【課題】電動工具の排気の風音を軽減する。【解決手段】モータ（７）を格納したハウジング（８）内に、ファン（２０）と、ファン（２０）にモータ側から対向するファンケーシング（２１）と、ファン（２０）に反モータ側から対向するインナーケース（１５）とが設けられ、ファン（２０）による風を排出する開口部（２２）がハウジング（８）に形成された電動工具において、開口部（２２）に複数の羽根状の仕切り（２３）がファンケーシング（２１）又はインナーケース（１５）と一体に設けられる。【選択図】　　　図１
2004122280.tif 000002
【特許請求の範囲】
【請求項１】
モータを格納したハウジング内に、ファンと、ファンにモータ側から対向するファンケーシングと、ファンに反モータ側から対向するインナーケースとが設けられ、ファンによる風を排出する開口部がハウジングに形成された電動工具において、上記開口部に複数の羽根状の仕切りがファンケーシング又はインナーケースと一体に設けられたことを特徴とする電動工具。
【発明の詳細な説明】
【０００１】
【発明の属する技術分野】
本発明は、ポリッシャ、ドリル、サンダ等の電動工具に関する。
【０００２】
【従来の技術】
【特許文献１】実開昭５６−１７６１１１号公報
【０００３】
従来、ポリッシャは、図４に示すように、モータ１を格納したハウジング２内にファン３と、ファン３にモータ側から対向するファンケーシング４と、ファン３に反モータ側から対向するインナーケース５とを備え、ファン３による風を排出する開口部６をハウジング２に備えている。モータ１の回転と共にファン３が回転して冷却風をハウジング２内に取り込み、この冷却風がモータ１から除熱した後開口部６へと向かい、開口部６からハウジング２外に排気される。
【０００４】
また、特許文献１が開示するように、ドリルも上記ポリッシャと同様にしてモータの冷却風をハウジング内に導き、モータを冷却した後ハウジング外に排気するようになっている。
【０００５】
【発明が解決しようとする課題】
図４及び図５に示すように、従来のポリッシャにおける開口部６は広い範囲ア、イ、ウに形成され、ファン３が矢印方向に回転すると、排気の風が局所エ、オ、カに集中し、このため耳障りな風音が発生するという問題がある。また、この局所エ、オ、カに集中した風が作業者に当たると、作業者に不快感を与えるという問題がある。これは特許文献１が開示するドリルにおいても同様である。
【０００６】
従って、本発明は上記諸問題点を解決することができる電動工具を提供することを目的とする。
【０００７】
【課題を解決するための手段】
上記問題点を解決するため、請求項１の発明は、モータ（７）を格納したハウジング（８）内に、ファン（２０）と、ファン（２０）にモータ側から対向するファンケーシング（２１）と、ファン（２０）に反モータ側から対向するインナーケース（１５）とが設けられ、ファン（２０）による風を排出する開口部（２２）がハウジング（８）に形成された電動工具において、上記開口部（２２）に複数の羽根状の仕切り（２３）がファンケーシング（２１）又はインナーケース（１５）と一体に設けられた電動工具を採用する。
【０００８】
【発明の実施の形態】
次に、本発明の実施の形態を図面を参照して説明する。
【０００９】
図１乃至図３に示すように、この電動工具であるポリッシャは、モータ７、伝動装置等を格納したハウジング８と、ハウジング８の下部に固定されたハンドル９とを備える。
【００１０】
ハンドル９にはモータ７をＯＮ／ＯＦＦするためのトリガスイッチ１０が設けられる。
【００１１】
ハウジング８は、モータ７を横置き状に格納したモータケース８ａと、モータケース８ａの前部に連結される伝動装置のギア等を格納したギアケース８ｂとを具備する。
【００１２】
モータケース８ａは、例えば合成樹脂等で成形された二つ割り片を合致させることにより形成される。このモータケース８ａ内に、電機子７ａと一体のモータシャフト７ｂがベアリング１１，１２により両端支持される。
【００１３】
ギアケース８ｂは、モータケース８ａの前部に固定ネジ１３により連結され固定される。ギアケース８ｂの前端は端板１４で閉じられ、後端はインナーケース１５により閉じられる。端板１４からは研磨板等の先端工具（図示せず）を取り付けるための出力軸１６が突出し、この出力軸１６が端板１４とインナーケース１５とにベアリング１７，１８により両端支持される。ギアケース８ｂの内部には、出力軸１６にモータシャフト７ｂの回転を減速して伝達する伝動装置のギア１９等が格納される。
【００１４】
モータ７が起動しモータシャフト７ｂが回転すると、伝動装置を介して出力軸１６にトルクが伝達され、これにより先端工具が回転しつつワークに対して研磨等を行う。
【００１５】
モータ７が回転するとモータ７の周辺が加熱されるが、これを冷却するため、図１に示すように、モータシャフト７ｂには冷却用のファン２０が取り付けられる。
【００１６】
また、ファン２０からの風を円滑に排気するため、ハウジング８内において上記インナーケース１５が反モータ側からファン２０に対向し、モータ側からはファンケーシング２１がファン２０に対向し、インナーケース１５とファンケーシング２１との間におけるハウジング８の壁には内外に貫通する開口部２２が形成される。
【００１７】
ファンケーシング２１は、図１及び図２に示すように、凹型に形成され、その中央部には通風穴２１ａが形成され、外周にはモータケース８ａの前端縁に接するようにリブ２１ｂが設けられる。ファンケーシング２１はモータケース８ａの前部に嵌め込まれて固定され、その凹部内にファン２０が収納される。
【００１８】
上述したように、開口部２２がハウジング上に広い範囲で広がると排気が局所に集中して耳障りな風音が発生したり、作業者に不快感を与えたりするが、これを防止するため、図１乃至図３に示すように、開口部２２には羽根状の複数の仕切り２３がファンケーシング２１に一体に設けられる。
【００１９】
仕切り２３はそれぞれ羽根片としてファンケーシング２１のリブ２１ｂ上に形成され、ハウジング８の前後方向（図１の左右方向）に延び、かつ、ファン２０の半径方向に延びる。これにより、全仕切り２３は図２に示すように放射状に並ぶこととなり、ファン２０からの風は羽根状の仕切り２３により分散されて開口部２２から排出される。
【００２０】
また、仕切り２３が開口部２２から露呈する箇所は、図１乃至図３に示すようにハウジング８のプロフィールに沿うように形成され、電動工具の見映えが高められている。
【００２１】
なお、仕切り２３は望ましくは合成樹脂によりファンケーシング２１と一体成形されるが、この仕切り２３はインナーケース１５と一体に形成してもよい。また、仕切り２３は必ずしもハウジング８の前後方向やファン２０の半径方向に沿わせる必要はなく、各方向に傾斜するように設けることも可能であり、その配列ピッチも適宜変更可能である。
【００２２】
次に、上記構成の電動工具の作用について説明する。
【００２３】
トリガスイッチ１０を引いてモータ７を起動させると、モータシャフト７ｂが電機子７ａと共に回転し、その回転が伝動装置により減速されて出力軸１６に伝達される。
【００２４】
出力軸１６には研磨板等の図示しない先端工具が取り付けられており、この先端工具が出力軸１６と共に回転しつつワークに対して研磨等を行う。
【００２５】
また、モータシャフト７ｂの回転と共にファンが２０回転し、外気をハウジング８内に取り込む。この外気はモータ７内を前方に流れてモータ７から熱を奪い、ファンケーシング２１の通風穴２１ａからファンケーシング２１とインナーケース１５との間を通ってハウジング８の開口部２２に向かう。
【００２６】
開口部２２には、羽根状の仕切り２３が多数配列されており、ファン２０からの風はこの仕切り２３により分散されて開口部２２からハウジング８外に排出される。
【００２７】
【発明の効果】
請求項１に係る発明によれば、モータを格納したハウジング内にファンと、ファンにモータ側から対向するファンケーシングと、ファンに反モータ側から対向するインナーケースとが設けられ、ファンによる風を排出する開口部がハウジングに形成された電動工具において、上記開口部に複数の羽根状の仕切りがファンケーシング又はインナーケースと一体に設けられた電動工具であるから、ファンからの風が開口部から排出される際に羽根状の仕切りにより分散され、これにより耳障りな風音が軽減され、また作業者に排気が当たっても作業者に不快感を与えない。また、仕切りはファンケーシング又はインナーケースと一体に設けられるので、コストアップも回避され、組み付けも簡易化される。さらに、従来ハウジング壁で大きく開いていた開口部に仕切りがあてがわれるので、電動工具の外観の見映えが向上する。
【図面の簡単な説明】
【図１】本発明に係る電動工具の縦断面図である。
【図２】図１中、ＩＩ−ＩＩ線矢視図である。
【図３】図１に示す電動工具のハウジングを示す側面図である。
【図４】従来の電動工具の縦断面図である。
【図５】図４中、Ｖ−Ｖ線矢視図である。
【符号の説明】
７…モータ
８…ハウジング
１５…インナーケース
２０…ファン
２１…ファンケーシング
２２…開口部
２３…仕切り
【図１】
2004122280.tif 000003
【図２】
2004122280.tif 000004
【図３】
2004122280.tif 000005
【図４】
2004122280.tif 000006
【図５】
2004122280.tif 000007